(57)【要約】      （修正有）【課題】縦長共通投入口から投入されたＩＣタグと硬貨を瞬時に間違いなく種分けしてそれぞれ所定の処理場所に導くシンプルかつ省スペース的な種分け機構を提供する。【解決手段】コイン状ＩＣタグＡと硬貨Ｂのいずれも投入するに足る縦スリット状料金共通投入口１の背後に該投入口１と略同幅の縦長坑路を設け、該縦長坑路の底面にはその幅方向中央部において硬貨Ｂのみを収め得る幅の相対的に高勾配な下り斜面の硬貨用通路２を形成してその先に硬貨Ｂのみ落下する幅のスリット状硬貨受入口４を設けるとともに、硬貨用通路２の両横脇においてはより低勾配な下り斜面の路肩３を形成し、その延長にはスリット状硬貨受入口４より更に先方においてコイン状ＩＣタグ受入部５を設ける。【選択図】図２
2006189986.tif 000002
【特許請求の範囲】
【請求項１】
コイン状ＩＣタグと硬貨のいずれも投入するに足る縦スリット状料金共通投入口の背後に該投入口と略同幅の縦長坑路を設け、該縦長坑路の底面にはその幅方向中央部において硬貨のみを収め得る幅の相対的高勾配な下り斜面の硬貨用通路を形成してその先に硬貨のみ落下する幅のスリット状硬貨受入口を設けるとともに、該硬貨用通路の両横脇においてはより低勾配な下り斜面の路肩を形成し、該スリット状硬貨受入口より更に先方にコイン状ＩＣタグ受入部を設けたことを特徴とする料金共通投入口に投入されたコイン状ＩＣタグと硬貨の種分け機構。
【請求項２】
路肩において、幅方向中央部にかけて低くなる傾斜を形成した請求項１記載の料金共通投入口に投入されたコイン状ＩＣタグと硬貨の種分け機構。
【請求項３】
コイン状ＩＣタグと硬貨のいずれも投入するに足る縦スリット状料金共通投入口の背後に該投入口と略同幅の縦長坑路を設け、該縦長坑路の底面はその幅方向中央部にかけて低くなる傾斜を有する下り斜面のスロープ状に形成してコイン状ＩＣタグと硬貨の共通通路とし、該共通通路の中央部中途に硬貨のみが落下する幅のスリット状硬貨受入口を設けるとともに、先方にコイン状ＩＣタグ受入部を設けたことを特徴とする料金共通投入口に投入されたコイン状ＩＣタグと硬貨の種分け機構。
【発明の詳細な説明】
【技術分野】
【０００１】  この発明は、パチンコ台等遊戯台における料金共通投入口に投入されたコイン状ＩＣタグと硬貨の種分け機構に関する。
【背景技術】
【０００２】  パチンコ台などの遊戯台の前面横方にはコイン等を投入する縦長スリット状の料金投入口が設けられているのが普通である。最近ではプリペイドされた大型コイン状を呈するコイン状ＩＣタグが用いられるようになったが、遊戯中に客が料金を追加する必要に迫られた場合に備えて、通常はコイン状ＩＣタグの投入口と硬貨の投入口の両方が設けられている。【０００３】  本発明者は既に、この２つの投入口を１つの共通投入口にして内部機構をより簡略化するとともに前面スペースに余裕をもたせることのできる新規な遊戯台機構を発明し出願済みであるが、そのコイン状ＩＣタグと硬貨の種分けについては在来の方法、すなわち両者の口径の差を感知するなどの方法を想定していた（例えば、技術文献１参照）。【０００４】
【技術文献１】
特願２００４−２２０９４７号
【発明の開示】
【発明が解決しようとする課題】
【０００５】  上記のようなコイン状ＩＣタグと硬貨の共通投入口を設けた場合、両者の種分けが必要になる訳であるが、従来のように両者の口径や材質の差を感知する手段による限り、縦に投入されたものを横にしたり或いはセンサー類を要するなど、その機構が複雑化したり大型化して、投入口を一体化することによるメリットが失われかねない問題点があった。本発明はかかる観点から、縦に投入されたＩＣタグや硬貨をそのまま通路に導入するのみで瞬時に両者を間違いなく種分けし、それぞれ所定の処理場所に導くことのできるシンプルかつ省スペース的な種分け機構を提供することを課題とする。
【課題を解決するための手段】
【０００６】  コイン状ＩＣタグＡと硬貨Ｂのいずれも投入するに足る縦スリット状料金共通投入口１の背後に該投入口１と略同幅の縦長坑路を設け、該縦長坑路の底面にはその幅方向中央部において硬貨Ｂのみを収め得る幅の相対的に高勾配な下り斜面の硬貨用通路２を形成してその先に硬貨Ｂのみ落下する幅のスリット状硬貨受入口４を設けるとともに、硬貨用通路２の両横脇においてはより低勾配な下り斜面の路肩３を形成し、その延長にはスリット状硬貨受入口４より更に先方においてコイン状ＩＣタグ受入部５を設けるものとする。【０００７】  なお、上記の路肩３においては、幅方向中央部にかけて低くなるようなテーパ（傾斜）を形成しておくことが望ましい。【０００８】  またこのように幅方向中央部にかけて低くなるような傾斜を設けた場合は、次のような形態にしてもよい。すなわち、コイン状ＩＣタグＡと硬貨Ｂのいずれも投入するに足る縦スリット状料金共通投入口１の背後に該投入口１と略同幅の縦長坑路を設け、該縦長坑路の底面はその幅方向中央部にかけて低くなる傾斜を有する下り斜面のスロープ状に形成してコイン状ＩＣタグＡと硬貨Ｂの共通通路とし、該共通通路の中央部中途に硬貨Ｂのみが落下する幅のスリット状硬貨受入口４を設けるとともに、先方にコイン状ＩＣタグ受入部５を設ける。【０００９】  ここで使用されるコイン状ＩＣタグＡとは、既にＩＳＯ認定されて一般的に広く使われつつあるもので、その寸法は、直径約３０ｍｍ、厚さ約２．３ｍｍであり、５００円硬貨はそれより約１２％、１００円硬貨は約２５％、全体に縮小したような形状をしていて、周辺部の厚みは、５００円硬貨で約１．８ｍｍ、１００円硬貨で約１．５ｍｍとなっている。【００１０】  従って、縦スリット状料金共通投入口１の幅は、２．３ｍｍより若干隙間を持たせて２．５〜３ｍｍ程度が望ましいことになり、その背後の縦長坑路の幅も同様となる。また硬貨用通路２とスリット状硬貨受入口４の幅は、２ｍｍ程度が該当することになる。【００１１】  今、この縦スリット状料金共通投入口１にコイン状ＩＣタグＡを投入すると、それは硬貨の幅より厚いために硬貨用通路２には収まらず、両横の路肩３に乗って低勾配の下り斜面を転がり、スリット状硬貨受入口４に落下することなく先方のコイン状ＩＣタグ受入部５に到達する。一方、同様に硬貨Ｂを投入すると、それは硬貨用通路２に収まり、その高勾配の斜面を転がって中途のスリット状硬貨受入口４より落下する。【００１２】  この際、路肩３がその中央内側にかけて傾斜していると、コイン状ＩＣタグＡや硬貨Ｂは常に斜面の中央部を転がろうとし、傾いたりして進行が阻害されることがない。更にそのようにスロープが幅方向において中央にかけて低く傾斜していると、コイン状ＩＣタグＡと硬貨Ｂのいずれも常に中央部を転がるから、必ずしも傾斜勾配の異なる路肩３を設けなくても硬貨Ｂのみスリット状硬貨受入口４より落下し、コイン状ＩＣタグＡはそこでは落下せずに先方のコイン状ＩＣタグ受入部５に自ずから到達する。
【発明の効果】
【００１３】  本発明によれば、コイン状ＩＣタグと硬貨の縦スリット状の共通投入口にそれらの何れを投入しても、一切のセンサー類その他の余分な機構やスペースを要すことなく瞬時にして確実に両者を種別し、所定の箇所に導くことができるので、遊戯台等においてコイン状ＩＣタグと硬貨の投入口を一体化し利便性をはかるうえにおいて甚大な効果がある。
【発明を実施するための最良の形態】
【００１４】  パチンコ遊戯台側部の玉貸し機上部に設けられた縦スリット状のコイン状ＩＣタグと硬貨の料金共通投入口１の背後に幅約２．６ｍｍの坑路を設け、その底面の中央部に幅約２ｍｍ、傾斜角約４０°の下り坂スロープを設けるとともに、その両横は傾斜角約２５°の下り坂の路肩状にしてかつ内側に向け約４０°傾斜させ、上記中央部の急な下り坂スロープの約３ｃｍ先に同幅のスリット状落とし穴を設けてスリット状硬貨受入口４とし、その下に硬貨識別機構６を設ける。一方、上記路肩部がほぼ同じ高さに到達する先方箇所に、コイン状ＩＣタグ受入部５及びコイン状ＩＣタグＡへの書込／読出機構７を設置する。【００１５】  また別の形態として、上記同様の坑路の底面を幅約２．６ｍｍとし、その両横側から中央にかけての各幅約０．４ｍｍの路肩部を約５０°の内下がり傾斜としたコイン状ＩＣタグＡと硬貨Ｂの共通下りスロープ（傾斜角約３０°）を形成して、以下同様に、約３ｃｍ先に約２ｍｍ幅のスリット状落とし穴を設けてスリット状硬貨受入口４とし、その下に硬貨識別機構６を設けるとともに、そのスロープの延長上に、コイン状ＩＣタグ受入部５及びコイン状ＩＣタグＡへの書込／読出機構７を設置してもよい。
【産業上の利用可能性】
【００１６】  既に述べたような本発明の機構は在来の材料及び製作技術によって容易に実現できるものであると同時に、コスト低下や省力、省スペースにつながるものであり、業者及びユーザー共に歓迎されるものであるから、産業上の利用可能性は十分であるといえる。
【図面の簡単な説明】
【００１７】
【図１】本発明一例を坑路内側から見た平面図
【図２】本発明一例を坑路内側から見た側面図
【図３】本発明別例のスリット状硬貨受入口付近の断面図
【符号の説明】
【００１８】Ａ……コイン状ＩＣタグ
Ｂ……硬貨
１……料金共通投入口
２……硬貨用通路
３……路肩
４……スリット状硬貨受入口
５……コイン状ＩＣタグ受入部
６……硬貨識別機構
７……コイン状ＩＣタグへの書込／読出機構
【図１】
2006189986.tif 000003
【図２】
2006189986.tif 000004
【図３】
2006189986.tif 000005